(57)【要約】【課題】セキュリティを確保しつつ、撮像装置と再生装置とをネットワークを介して容易に接続することができる技術を提供する。【解決手段】撮像装置１００に無線ＩＣタグ１２４が付されており、無線ＩＣタグ１２４には、ネットワークを介して撮像装置１００にアクセスするための接続情報が記憶されている。この状態で、再生装置（例えば、デジタルテレビ２００またはプリンター３００）が、無線ＩＣタグ１２４から受信した接続情報に基づいて所定のコマンドを撮像装置１００に対して送信する。これに対して、撮像装置１００が所定のコマンドに応答して画像データを再生装置に送信すると、再生装置が撮像装置１００から画像データを取得して可視的に出力する。【選択図】図６
2006217220.tif 000002
【特許請求の範囲】
【請求項１】
撮像装置と再生装置とを含むデータ交信システムであって、
前記撮像装置が、
前記再生装置からネットワークを介して前記撮像装置にアクセスするための接続情報を記憶した無線ＩＣタグと、
前記再生装置からの所定のコマンドに応答して、画像データを前記ネットワークを介して前記再生装置に対して送信する画像データ送信手段と、
を備え、
前記再生装置が、
前記無線ＩＣタグより前記接続情報を受信する受信手段と、
前記受信手段によって受信された前記接続情報に基づいて、前記所定のコマンドを前記ネットワークを介して前記撮像装置に対して送信するコマンド送信手段と、
前記画像データ送信手段によって送信された前記画像データを可視的に出力する出力手段と、
を備えることを特徴とするデータ交信システム。
【請求項２】
請求項１に記載のデータ交信システムであって、
前記接続情報が、
ＩＰアドレスを含むことを特徴とするデータ交信システム。
【請求項３】
請求項１または請求項２に記載のデータ交信システムであって、
前記接続情報が、
前記再生装置から前記ネットワークを介して前記撮像装置にアクセスするための認証情報を含むことを特徴とするデータ交信システム。
【請求項４】
請求項３に記載のデータ交信システムであって、
前記認証情報が、
ユーザーＩＤおよびパスワードのうちの少なくとも一方を含むことを特徴とするデータ交信システム。
【請求項５】
請求項３または請求項４に記載のデータ交信システムであって、
前記撮像装置が、
前記再生装置からの要求に応答して、前記再生装置から前記ネットワークを介した前記撮像装置に対するアクセスを許可する許可手段、
を更に備え、
前記画像データ送信手段が、
前記許可手段によって前記再生装置から前記撮像装置に対するアクセスが許可された状態で、前記再生装置からの前記所定のコマンドに応答して、前記画像データを前記ネットワークを介して前記再生装置に対して送信し、
前記再生装置が、
前記受信手段によって受信された前記接続情報を用いて、前記撮像装置に対して前記ネットワークを介したアクセスの許可を要求する要求手段、
を更に備えることを特徴とするデータ交信システム。
【請求項６】
請求項１から請求項５のいずれかに記載のデータ交信システムであって、
前記無線ＩＣタグが、
画像再生に関する画像再生情報を更に記憶し、
前記受信手段が、
前記画像再生情報を受信し、
前記再生装置が、
前記受信手段によって受信された前記画像再生情報に基づいて、前記出力手段における前記画像データの出力を制御する出力制御手段、を更に備えることを特徴とするデータ交信システム。
【請求項７】
請求項６に記載のデータ交信システムであって、
前記画像再生情報が、
前記画像データの出力の制限に係る情報を含むことを特徴とするデータ交信システム。
【請求項８】
撮像装置であって、
所定の再生装置からネットワークを介して前記撮像装置にアクセスするための接続情報を記憶した無線ＩＣタグと、
前記無線ＩＣタグから前記接続情報を受信した前記所定の再生装置により当該接続情報に基づいて前記ネットワークを介して送信された所定のコマンドに応答して、画像データを前記ネットワークを介して前記所定の再生装置に対して送信する画像データ送信手段と、
を備えることを特徴とする撮像装置。
【請求項９】
再生装置であって、
所定の撮像装置に設けられた無線ＩＣタグに記憶されたネットワークを介して前記所定の撮像装置にアクセスするための接続情報を受信する受信手段と、
前記受信手段によって受信された前記接続情報に基づいて、所定のコマンドを前記ネットワークを介して前記所定の撮像装置に対して送信するコマンド送信手段と、
前記所定のコマンドに応答して前記所定の撮像装置から前記ネットワークを介して送信された画像データを可視的に出力する出力手段と、
を備えることを特徴とする再生装置。
【発明の詳細な説明】
【技術分野】
【０００１】
本発明は、データの交信に関する。
【背景技術】
【０００２】
近年、デジタルカメラが一般家庭に広く普及してきている。また、無線タグが商品の流通等を管理する上で実用化されてきている。そして、この無線タグとデジタルカメラとを組み合わせた技術も考えられてきている。
【０００３】
例えば、この無線タグを被写体に保持させて、デジタルカメラで撮影を行う際に、無線タグから被写体に関する関連情報を収集して、当該関連情報を画像データに付加して記憶する技術が提案されている（例えば、特許文献１）。
【０００４】
このように、デジタルカメラとその他の機器等との間におけるデータ交信を発展させていくことで、デジタルカメラの多機能化を図ることができる。
【０００５】
ところで、昨今、大画面で高解像度のデジタルテレビ等のデジタル家電製品が普及し始め、コンピュータと他のコンピュータや周辺機器とをデータ交信可能に接続したネットワークを有する家庭も増えてきている。現在のところ、このネットワークは、パーソナルコンピュータやその周辺機器だけを接続したものであるが、家電どうしをネットワークで接続する技術も実用化に向けて開発されてきている。
【０００６】
このような状況においては、デジタル家電を接続するネットワークに対して、デジタルカメラをデータ交信可能に接続し、デジタルカメラで取得した撮影画像をデジタルテレビ等の再生装置で再生するような態様も想定される。
【０００７】
このような技術に関する先行技術文献としては、以下のようなものがある。
【０００８】
【特許文献１】特開２００３−１７４５７８号公報
【発明の開示】
【発明が解決しようとする課題】
【０００９】
しかしながら、デジタルカメラと再生装置とがネットワークを介して容易に接続可能であるとすると、情報管理のセキュリティが不十分である。一方、セキュリティを確保するためには、デジタルカメラと再生装置とをネットワークを介して接続する毎に、パスワードやＩＤを入力する等といった煩雑な操作が必要となる。つまり、セキュリティを優先すれば煩雑な操作が必要となり、操作を簡略化しようとすればセキュリティが疎かになるといった問題が生じる。
【００１０】
本発明は、上記課題に鑑みてなされたものであり、セキュリティを確保しつつ、撮像装置と再生装置とをネットワークを介して容易に接続することができる技術を提供することを目的とする。
【課題を解決するための手段】
【００１１】
上記の課題を解決するために、請求項１の発明は、撮像装置と再生装置とを含むデータ交信システムであって、前記撮像装置が、前記再生装置からネットワークを介して前記撮像装置にアクセスするための接続情報を記憶した無線ＩＣタグと、前記再生装置からの所定のコマンドに応答して、画像データを前記ネットワークを介して前記再生装置に対して送信する画像データ送信手段とを備え、前記再生装置が、前記無線ＩＣタグより前記接続情報を受信する受信手段と、前記受信手段によって受信された前記接続情報に基づいて、前記所定のコマンドを前記ネットワークを介して前記撮像装置に対して送信するコマンド送信手段と、前記画像データ送信手段によって送信された前記画像データを可視的に出力する出力手段とを備えることを特徴とする。
【００１２】
また、請求項２の発明は、請求項１に記載のデータ交信システムであって、前記接続情報が、ＩＰアドレスを含むことを特徴とする。
【００１３】
また、請求項３の発明は、請求項１または請求項２に記載のデータ交信システムであって、前記接続情報が、前記再生装置から前記ネットワークを介して前記撮像装置にアクセスするための認証情報を含むことを特徴とする。
【００１４】
また、請求項４の発明は、請求項３に記載のデータ交信システムであって、前記認証情報が、ユーザーＩＤおよびパスワードのうちの少なくとも一方を含むことを特徴とする。
【００１５】
また、請求項５の発明は、請求項３または請求項４に記載のデータ交信システムであって、前記撮像装置が、前記再生装置からの要求に応答して、前記再生装置から前記ネットワークを介した前記撮像装置に対するアクセスを許可する許可手段を更に備え、前記画像データ送信手段が、前記許可手段によって前記再生装置から前記撮像装置に対するアクセスが許可された状態で、前記再生装置からの前記所定のコマンドに応答して、前記画像データを前記ネットワークを介して前記再生装置に対して送信し、前記再生装置が、前記受信手段によって受信された前記接続情報を用いて、前記撮像装置に対して前記ネットワークを介したアクセスの許可を要求する要求手段を更に備えることを特徴とする。
【００１６】
また、請求項６の発明は、請求項１から請求項５のいずれかに記載のデータ交信システムであって、前記無線ＩＣタグが、画像再生に関する画像再生情報を更に記憶し、前記受信手段が、前記画像再生情報を受信し、前記再生装置が、前記受信手段によって受信された前記画像再生情報に基づいて、前記出力手段における前記画像データの出力を制御する出力制御手段、を更に備えることを特徴とする。
【００１７】
また、請求項７の発明は、請求項６に記載のデータ交信システムであって、前記画像再生情報が、前記画像データの出力の制限に係る情報を含むことを特徴とする。
【００１８】
また、請求項８の発明は、撮像装置であって、所定の再生装置からネットワークを介して前記撮像装置にアクセスするための接続情報を記憶した無線ＩＣタグと、前記無線ＩＣタグから前記接続情報を受信した前記所定の再生装置により当該接続情報に基づいて前記ネットワークを介して送信された所定のコマンドに応答して、画像データを前記ネットワークを介して前記所定の再生装置に対して送信する画像データ送信手段とを備えることを特徴とする。
【００１９】
また、請求項９の発明は、再生装置であって、所定の撮像装置に設けられた無線ＩＣタグに記憶されたネットワークを介して前記所定の撮像装置にアクセスするための接続情報を受信する受信手段と、前記受信手段によって受信された前記接続情報に基づいて、所定のコマンドを前記ネットワークを介して前記所定の撮像装置に対して送信するコマンド送信手段と、前記所定のコマンドに応答して前記所定の撮像装置から前記ネットワークを介して送信された画像データを可視的に出力する出力手段とを備えることを特徴とする。
【発明の効果】
【００２０】
請求項１に記載の発明によれば、ネットワークを介して撮像装置にアクセスするための接続情報が記憶された無線ＩＣタグが撮像装置に付され、再生装置が当該無線ＩＣタグから接続情報を受信し、当該接続情報に基づいて撮像装置から画像データを取得して可視的に出力するような構成とすることで、撮像装置を再生装置に近づけるだけで撮像装置で取得された撮影画像を再生装置で再生することができるとともに、撮像装置に対して物理的に近接した再生装置のみに撮影画像を再生させることができるため、セキュリティを確保しつつ、撮像装置と再生装置とをネットワークを介して容易に接続することができる。
【００２１】
また、請求項２に記載の発明によれば、接続情報がＩＰアドレスを含むような構成とすることで、アクセス先を容易に特定することができる。
【００２２】
また、請求項３から請求項５に記載のいずれの発明によっても、接続情報が、撮像装置にアクセスするための認証情報を含むようにすることで、撮像装置にアクセスすることのできる再生装置を確実に限定することができる。
【００２３】
また、請求項４に記載の発明によれば、認証情報が、ユーザーＩＤおよびパスワードのうちの少なくとも一方を含むようにすることで、撮像装置にアクセスすることのできる再生装置を容易に限定することができる。
【００２４】
また、請求項６に記載の発明によれば、再生装置が、無線ＩＣタグに記憶された画像再生情報を受信して、当該画像再生情報に基づいて画像データの出力を制御するような構成とすることで、容易に画像の出力を制御することができる。
【００２５】
また、請求項７に記載の発明によれば、画像再生情報が、画像データの出力の制限に係る情報を含むような構成とすることで、画像の再生を容易に制限することができる。
【００２６】
また、請求項８に記載の発明によれば、請求項１に記載の発明と同様な効果を得ることができる。
【００２７】
また、請求項９に記載の発明によれば、請求項１に記載の発明と同様な効果を得ることができる。
【発明を実施するための最良の形態】
【００２８】
以下、本発明の実施形態を図面に基づいて説明する。
【００２９】
＜撮像装置＞
図１は、本発明の実施形態に係る撮像装置１００の機能構成を例示するブロック図であり、撮像装置１００は、デジタルカメラ（ＤＳＣ）として構成される。
【００３０】
撮像装置１００は、撮影を行うための撮影モード（ＲＥＣモード）と、メモリカード１２７に格納された撮影画像を背面ＬＣＤ１２６等で再生する再生モード（ＰＬＡＹモード）とを備える。
【００３１】
また、撮像装置１００は、シャッタースタートボタン（シャッタボタン）や各種ボタンや各種スイッチ等を含む操作部１０９を備える。そして、ユーザーが、操作部１０９を適宜操作することで、ＲＥＣモードとＰＬＡＹモードとの間で、モードの切り替えを行うことができる。
【００３２】
撮影レンズ１０１は、ズームやオートフォーカスを実現するために、レンズ駆動部Ｍ１により光軸に沿って前後に駆動させることができる。また、撮影レンズ１０１によって入射される光は、絞り駆動部Ｍ２によって開放度が変更される絞り１０２を介してＣＣＤ１０３の受光面に結像される。
【００３３】
ＣＣＤ１０３は、例えば、Ｒ(赤)、Ｇ(緑)、Ｂ(青)の原色透過フィルターが市松状に配列された単板の画素配列を有するエリア撮像センサとして構成されており、被写体からの光を光電変換することで、ＲＧＢのアナログ画像信号を得る。
【００３４】
ＣＣＤ１０３で得られたアナログ画像信号は、アンプ（Amp）部１０４等で増幅され、Ａ／Ｄ変換器１０５でデジタル画像データに変換される。
【００３５】
マイクロコンピュータ１０６は、ＣＰＵやＲＯＭ等を備えて構成され、撮像装置１００の各部の動作を統括制御するもので、ＲＯＭ等に格納されるプログラムをＣＰＵが読み込むことで、各種制御や機能を実現する。
【００３６】
例えば、マイクロコンピュータ１０６は、ＣＣＤ駆動部Ｍ３を介してＣＣＤ１０３の駆動を制御することができる。また、マイクロコンピュータ１０６は、Ａ／Ｄ変換器１０５から入力されるデジタル画像データ（以下「画像データ」と略する）をＲＡＭ１０７に格納しつつ、当該画像データに対して各種処理を施すことができる。
【００３７】
マイクロコンピュータ１０８は、ＣＰＵやＲＯＭ等を備えて構成され、操作部１０９や測距部１１０や測光部１１１より発せられる信号に応答して、マイクロコンピュータ１０６に対して信号を送ることで、各種動作を実現する。例えば、ユーザーによる操作部１０９の操作に応答して、マイクロコンピュータ１０６とマイクロコンピュータ１０８とが、ＲＥＣモードとＰＬＡＹモードとの間で、モードの切り替えを行う。
【００３８】
また、測距部１１０によって測定された被写体までの距離に応じて、マイクロコンピュータ１０６とマイクロコンピュータ１０８とが、レンズ駆動部Ｍ１によって撮影レンズ１０１を駆動させることで、オートフォーカスを実現する。
【００３９】
更に、測光部１１１によって測定された被写体輝度に応じて、マイクロコンピュータ１０６とマイクロコンピュータ１０８とが絞り駆動部Ｍ２によって絞り１０２を駆動させ、ＣＣＤ駆動部Ｍ３によってＣＣＤ１０３を駆動させる。
【００４０】
撮像装置１００がＲＥＣモードに設定された状態では、記憶用の画像データを取得する撮影（本撮影）前に、フレーミング用の所謂プレビュー（「ライブビュー」とも称する）の表示やオートフォーカス等を行うための撮影準備が撮像装置１００において行われる。
【００４１】
本撮影時には、マイクロコンピュータ１０６により画像データに対してＪＰＥＧ方式による圧縮処理が施される。そして、マイクロコンピュータ１０６からカードドライバ１２３を介してメモリカード１２７に画像データが転送されることで、メモリカード１２７に画像データが記憶される。このとき、ユーザーによる操作部１０９の操作に応じて、マイクロコンピュータ１０６によって画像データが暗号化されてからメモリカード１２７に記憶される。暗号化の技術としては、公知の種々の技術を用いることができ、この撮影画像に係る画像データの暗号化により、外部の再生装置における撮影画像の出力を制限することができる。そして、撮影画像に係る画像データに対して暗号化を施すことで、撮影画像に係る画像データが盗まれても、容易に複製したり悪用することができないようにすることができる。
【００４２】
なお、メモリカード１２７は、撮像装置１００に対して着脱自在に構成される。また、ここでは、画像データを記憶する記憶媒体としてメモリカード１２７を例示したが、他の記憶媒体であっても良い。なお、本明細書では、メモリカード１２７に記憶された画像データに係る画像を適宜「撮影画像」とも称する。
【００４３】
また、撮影準備時には、例えば、設定に応じてファインダー用のＬＣＤ（ファインダーＬＣＤ）１２５または撮像装置１００の背面略中央部に設けられたＬＣＤ（背面ＬＣＤ）１２６でライブビューを表示させる。具体的には、マイクロコンピュータ１０６で適宜処理が施された画像データが、ＬＣＤドライバ１２１を介してファインダーＬＣＤ１２５に転送されると、ファインダーＬＣＤ１２５によって画像データが可視的に出力される。また、マイクロコンピュータ１０６からＬＣＤドライバ１２２を介して背面ＬＣＤ１２６に画像データが転送されると、背面ＬＣＤ１２６によって画像データが可視的に出力される。
【００４４】
また、撮像装置１００がＰＬＡＹモードに設定された状態では、メモリカード１２７に格納された撮影画像を背面ＬＣＤ１２６において再生することができる。具体的には、ユーザーによる操作部１０９の操作に応答して、マイクロコンピュータ１０６がカードドライバ１２３を介してメモリカード１２７内の画像データを読出し、ＬＣＤドライバ１２２を介して背面ＬＣＤ１２６に転送することで、背面ＬＣＤ１２６で撮影画像を再生表示することができる。
【００４５】
ここでは、ＰＬＡＹモードに設定されると、まず、直近にメモリカード１２７に記憶された撮影画像が、背面ＬＣＤ１２６に再生表示される。そして、ユーザーが操作部１０９を適宜操作することで、再生する撮影画像を順次変更することができる。例えば、コマ送りボタン（不図示）が押下されることで、表示再生される撮影画像が、メモリカード１２７に記憶されている撮影画像のうちの次のコマに変更される。また、コマ戻しボタン（不図示）が押下されることで、表示再生される撮影画像が、メモリカード１２７に記憶されている撮影画像のうちの前のコマに変更される。
【００４６】
また、撮像装置１００の筐体には、いわゆる無線ＩＣタグ（以下「ＩＣタグ」と略する）１２４が付されている。
【００４７】
図２は、ＩＣタグ１２４の構成例を示す図である。図２に示すように、ＩＣタグ１２４は、基板部５０に、タグ情報を格納するチップ部５１と、チップ部５１から引き出された渦巻き状の回線からなるアンテナ部５２とが設けられて構成される。
【００４８】
図３は、チップ部５１に格納されるタグ情報のデータ内容を示す図である。図３に示すように、チップ部５１には、メーカー名、商品コード、製造年月日、ユーザーＩＤ（Ｕｓｅｒ ＩＤ）、パスワード、ＩＰアドレス、暗号解除キー、再生許可情報（視聴年齢制限）、再生許可情報（複製可能回数）、および再生許可情報（印刷枚数）に係るデータがタグ情報として格納されている。
【００４９】
ＩＣタグ１２４に格納されるタグ情報のうち、Ｕｓｅｒ ＩＤ、パスワード、およびＩＰアドレスは、外部機器からネットワークを介して撮像装置１００に対してアクセスするための情報（接続情報）である。例えば、Ｕｓｅｒ ＩＤおよびパスワードは、外部機器から撮像装置１００に対してアクセスするための認証情報であり、ＩＰアドレスは、外部機器からアクセス先である撮像装置１００を特定するための情報である。
【００５０】
また、暗号解除キー、再生許可情報（視聴年齢制限）、再生許可情報（複製可能回数）、および再生許可情報（印刷枚数）は、メモリカード１２７に格納された撮影画像の再生に関する情報（以下「画像再生情報」とも称する）である。例えば、暗号解除キーは、暗号化された撮影画像に係る画像データを復号化するための情報であり、撮影画像を外部の再生装置において再生する際に、当該撮影画像の出力を制限する暗号化を解除する情報である。この復号化には、公知の種々の手法を適用することができる。再生許可情報（視聴年齢制限）は、外部の再生装置における年齢設定に応じて撮影画像の出力を制限するための情報である。また、再生許可情報（複製可能回数）および再生許可情報（印刷枚数）は、外部装置における撮影画像の複製および印刷といった再生をそれぞれ制限する情報である。
【００５１】
そして、図４に示すように、ＩＣタグ１２４を、ＩＣタグリーダ８００に近づけて、ＩＣタグリーダ８００が発生させているＲＦ(Radio Frequency)信号のフィールド９００内に入ると、ＲＦ信号により、ＩＣタグ１２４にパワーが供給される。また、ＲＦ信号には、コマンド・データも含まれており、そのデータをＩＣタグ１２４が受け取り、自身が格納するタグ情報をＩＣタグリーダ８００に対して無線で送信する。このようにして、ＩＣタグリーダ８００は、ＩＣタグ１２４に格納されるタグ情報を受信することができる。なお、ＲＦ信号のフィールド９００の距離は、図４に示すように、一般的には１〜３ｍ程度といった比較的短距離である。
【００５２】
また、撮像装置１００は、ネットワーク（Network）カード１２８を着脱自在に装着することができ、Networkカード１２８を装着することで、外部のＬＡＮ(Local Area Network)に物理的に接続することができる。
【００５３】
＜データ交信システム＞
図５は、本発明の実施形態に係るデータ交信システム１の概要を示す図であり、図６は、データ交信システム１の機能構成を簡単に示すブロック図である。
【００５４】
図５に示すように、データ交信システム１は、主に、撮像装置１００と、デジタルテレビ（ＤＴＶ）２００と、プリンター３００とを備えて構成される。また、ＤＴＶ２００には、ビデオプリンタ２１０とＤＶＤレコーダ２２０とがデータ交信可能に接続されている。更に、ＤＴＶ２００に対しては、ＤＴＶ２００の動作を制御するためのリモコン２３０が付属されている。
【００５５】
ここでは、図６に示すように、ＤＴＶ２００およびプリンター３００等が、ＬＡＮ４００によって相互に接続される。ＬＡＮ４００には、家庭内ＬＡＮ等といった種々のＬＡＮを適用することができる。そして、撮像装置１００にNetworkカード１２８を装着して、撮像装置１００をＬＡＮ４００に対してデータ交信可能に接続することで、データ交信システム１が形成される。そして、ＤＴＶ２００およびプリンター３００は、撮像装置１００によって取得された撮影画像を可視的に再生する装置（再生装置）として機能する。
【００５６】
データ交信システム１が形成された状態では、撮像装置１００のマイクロコンピュータ１０６が、ＤＴＶ２００やプリンター３００からのアクセスを許可するか否かの認証機能を発揮する。具体的には、撮像装置１００に対するＬＡＮ４００を介したアクセスの許可を要求する情報（アクセス許可要求情報）が、ＤＴＶ２００からＬＡＮ４００を介してマイクロコンピュータ１０６に対して送信されると、マイクロコンピュータ１０６がＤＴＶ２００からＬＡＮ４００を介した撮像装置１００に対するアクセスを許可する。そして、アクセス許可要求情報には、Ｕｓｅｒ ＩＤ、およびパスワードといった認証情報が含まれる。また、プリンター３００についても同様な手法によって撮像装置１００へのアクセスが許可される。
【００５７】
ＤＴＶ２００は、主に、制御部２０１、操作部２０２、リモコン受信部２０３、表示部２０４、インターフェース（Ｉ／Ｆ）２０５、およびＩＣタグリーダ８０１を備えて構成される。
【００５８】
制御部２０１は、ＤＴＶ２００全体を統括制御する。この制御部２０１は、ＣＰＵやＲＡＭやＲＯＭ等を備えて構成され、例えば、ＲＯＭに格納されたプログラムをＣＰＵが読み込んで実行することで、各種制御や機能を実現する。
【００５９】
ＩＣタグリーダ８０１は、上述した方式によって、撮像装置１００に付されたＩＣタグ１２４からタグ情報を受信して、制御部２０１に転送する。そして、制御部２０１は、転送された各種データに応じた動作を行う。ＩＣタグリーダ８０１は、ＤＴＶ２００が後述する撮影画像表示モードに設定されると、ＲＦ信号を発して、ＩＣタグ１２４に格納されるタグ情報を読み取り可能な状態となる。
【００６０】
操作部２０２は、各種ボタンやスイッチ等を備えて構成され、ユーザーによる操作に応じて制御部２０１に対して各種信号を送信する。ここでは、操作部２０２が適宜操作されると、制御部２０１によって、ＤＴＶ２００が、撮像装置１００から撮影画像に係る画像データをＬＡＮ４００を介して受信して表示するためのモード（「撮影画像表示モード」とも言う）に設定される。
【００６１】
リモコン受信部２０３は、リモコン２３０からの信号を受信して、制御部２０１に転送する。制御部２０１は、操作部２０２、リモコン２３０からの各種信号に応じた動作を行う。
【００６２】
表示部２０４は、制御部２０１の制御下で、各種画像を表示する。例えば、撮像装置１００から撮影画像に係る画像データをＬＡＮ４００を介して受信して、表示部２０４において可視的に出力することで、撮影画像を再生することができる。表示部２０４における撮影画像の再生については後述する。
【００６３】
Ｉ／Ｆ２０５は、ＬＡＮ４００を介して撮像装置１００等とデータ交信する。例えば、制御部２０１からの信号を撮像装置１００に向けて送信したり、撮像装置１００からのデータを制御部２０１に転送する。なお、図６では図示を省略しているが、Ｉ／Ｆ２０５は、制御部２０１とビデオプリンタ２１０およびＤＶＤレコーダ２２０との間のデータの交信も制御する。
【００６４】
プリンター３００は、主に、制御部３０１、操作部３０２、印刷部３０４、インターフェース（Ｉ／Ｆ）３０５、およびＩＣタグリーダ８０２を備えて構成される。
【００６５】
制御部３０１は、プリンター３００全体を統括制御する。この制御部３０１は、ＣＰＵやＲＡＭやＲＯＭ等を備えて構成され、例えば、ＲＯＭに格納されたプログラムをＣＰＵが読み込んで実行することで、各種制御や機能を実現する。
【００６６】
ＩＣタグリーダ８０２は、上述した方式によって、撮像装置１００に付されたＩＣタグ１２４からタグ情報を受信して、制御部３０１に転送する。そして、制御部３０１は、転送された各種データに応じた動作を行う。ＩＣタグリーダ８０２は、プリンター３００が後述する撮影画像印刷モードに設定されると、ＲＦ信号を発して、ＩＣタグ１２４に格納されるタグ情報を読み取り可能な状態となる。
【００６７】
操作部３０２は、各種ボタンを含むオペレーションパネルやスイッチ等を備えて構成され、ユーザーによる操作に応じて制御部３０１に対して各種信号を送信する。制御部３０１は、操作部３０２からの各種信号に応じた動作を行う。例えば、操作部３０２が適宜操作されると、制御部３０１によって、プリンター３００が、撮像装置１００から撮影画像に係る画像データをＬＡＮ４００を介して受信して印刷するためのモード（「撮影画像印刷モード」とも言う）に設定される。
【００６８】
印刷部３０４は、制御部３０１の制御下で、各種画像をプリントアウト（印刷）する。例えば、撮像装置１００から撮影画像に係る画像データをＬＡＮ４００を介して受信して、印刷部３０４において可視的に出力することで、撮影画像を再生することができる。印刷部３０４における撮影画像の再生については後述する。
【００６９】
Ｉ／Ｆ３０５は、ＬＡＮ４００を介して撮像装置１００等とデータ交信する。例えば、制御部３０１からの信号を撮像装置１００に向けて送信したり、撮像装置１００からのデータを制御部３０１に転送する。
【００７０】
以下、ＤＴＶ２００およびプリンター３００における撮影画像の再生について、それぞれ説明する。
【００７１】
＜デジタルテレビにおける画像再生＞
ＤＴＶ２００における撮影画像の再生は、撮像装置１００からＤＴＶ２００に対して撮影画像に係る画像データがＬＡＮ４００を介して送信されることで実現される。したがって、ＤＴＶ２００における撮影画像の再生は、撮像装置１００における動作とＤＴＶ２００における動作とが相互に連携し合うことで実現される。
【００７２】
図７は、ＤＴＶ２００において撮影画像を再生する際の撮像装置１００における動作フローを示すフローチャートである。図８および図９は、ＤＴＶ２００において撮影画像を再生する際のＤＴＶ２００における動作フローを示すフローチャートである。
【００７３】
図７に示す動作フローは、撮像装置１００内のマイクロコンピュータ１０６の制御下で実行され、図８および図９に示す動作フローは、ＤＴＶ２００内の制御部２０１の制御下で実行される。そして、図７に示す撮像装置１００の動作フローと、図８および図９に示すＤＴＶ２００の動作フローとが、並行して行われることで、ＤＴＶ２００における撮影画像の再生が実現される。
【００７４】
撮像装置１００およびＤＴＶ２００における動作フローは、並行して行われるが、説明が複雑になるのを防ぐため、撮像装置１００側とＤＴＶ２００側の動作フローを分けて説明する。
【００７５】
まず、図７のフローチャートを参照しつつ、撮像装置１００側の動作フローについて説明する。ここでは、ユーザーがマニュアルで、撮像装置１００を、Networkカード１２８によってＬＡＮ４００に対して物理的に接続すると、図７の動作フローが開始される。
【００７６】
ステップＳ１では、撮像装置１００がＰＬＡＹモードに設定されているか否かを判定する。ここでは、ＰＬＡＹモードに設定されるまでステップＳ１の判定を繰り返し、ＰＬＡＹモードに設定されると、ステップＳ２に進む。
【００７７】
ステップＳ２では、メモリカード１２７に格納される撮影画像に係る画像データを背面ＬＣＤ１２６において可視的に出力する。ここでは、メモリカード１２７に格納される撮影画像のうち、最も直近に記憶された撮影画像が表示される。なお、ここでは、メモリカード１２７に格納される撮影画像のうち、ファイル名でソートしたときに先頭にあたる撮影画像を背面ＬＣＤ１２６に表示しても良い。
【００７８】
ステップＳ３では、ＤＴＶ２００からアクセス許可要求情報（Ｕｓｅｒ ＩＤおよびパスワードといった認証情報を含む）を受信したか否かを判定する。ここでは、アクセス許可要求情報を受信するまでステップＳ３の判定を繰り返し、アクセス許可要求情報を受信すると、ステップＳ４に進む。
【００７９】
ステップＳ４では、ＤＴＶ２００から受信した認証情報に基づいて、撮像装置１００を、ＤＴＶ２００からのアクセスが許可された状態に設定する。
【００８０】
ステップＳ５では、ＤＴＶ２００から現在表示中の撮影画像に係る画像データの送信を要求するコマンド（「画像要求コマンド」および「Get Current Pictureコマンド」とも称する）をＬＡＮ４００を介して受信したか否かを判定する。ここでは、画像要求コマンドを受信するまでステップＳ５の判定を繰り返し、画像要求コマンドを受信するとステップＳ６に進む。
【００８１】
ステップＳ６では、ＤＴＶ２００に対して、現在背面ＬＣＤ１２６に表示中の撮影画像に係る画像データをＬＡＮ４００を介して送信する。
【００８２】
ステップＳ７では、ＤＴＶ２００から次のコマに係る画像要求コマンドをＬＡＮ４００を介して受信したか否か判定する。ここでは、ＤＴＶ２００から次のコマの表示を要求するコマンド（Next Pictureコマンド）と画像要求コマンドとを受信すれば、次のコマに係る画像要求コマンドを受信したものとして、ステップＳ８に進み、受信しなければステップＳ１０に進む。
【００８３】
ステップＳ８では、メモリカード１２７に格納される撮影画像のうち、現在背面ＬＣＤ１２６に表示中の撮影画像の次のコマに係る撮影画像を背面ＬＣＤ１２６に表示する。
【００８４】
ステップＳ９では、ＤＴＶ２００に対して、現在背面ＬＣＤ１２６に表示中の撮影画像に係る画像データをＬＡＮ４００を介して送信する。
【００８５】
ステップＳ１０では、ＤＴＶ２００から前のコマに係る画像要求コマンドをＬＡＮ４００を介して受信したか否か判定する。ここでは、ＤＴＶ２００から前のコマの表示を要求するコマンド（Prev Pictureコマンド）と画像要求コマンドとを受信すれば、前のコマに係る画像要求コマンドを受信したものとして、ステップＳ１１に進み、受信しなければステップＳ７に戻る。
【００８６】
ステップＳ１１では、メモリカード１２７に格納される撮影画像のうち、現在背面ＬＣＤ１２６に表示中の撮影画像の前のコマに係る撮影画像を背面ＬＣＤ１２６に表示する。
【００８７】
ステップＳ１２では、ＤＴＶ２００に対して、現在背面ＬＣＤ１２６に表示中の撮影画像に係る画像データをＬＡＮ４００を介して送信する。
【００８８】
なお、ユーザーがマニュアルで、撮像装置１００からNetworkカード１２８を脱着することで、図７の動作フローを強制的に終了させることができる。
【００８９】
次に、図８および図９のフローチャートを参照しつつ、ＤＴＶ２００側の動作フローについて説明する。ここでは、ユーザーが、操作部２０２を適宜操作すると、ＤＴＶ２００が撮影画像表示モードに設定され、図８の動作フローが開始される。
【００９０】
ステップＳ２１では、ＩＣタグ１２４よりタグ情報を受信したか否かを判定する。ここでは、ＩＣタグリーダ８０１によってタグ情報が受信されるまでステップＳ２１の判定を繰り返し、タグ情報が受信されるとステップＳ２２に進む。ここでは、ＩＣタグリーダ８０１とＩＣタグ１２４とが近接していれば、ＩＣタグリーダ８０１がＩＣタグ１２４に格納されるタグ情報を受信することができる。
【００９１】
ステップＳ２１からステップＳ２２に進む際には、Ｕｓｅｒ ＩＤ、パスワード、およびＩＰアドレスといった接続情報の他に、暗号解除キー、再生許可情報（視聴年齢制限）、再生許可情報（複製可能回数）、および再生許可情報（印刷枚数）といった各種情報がＩＣタグリーダ８０１によって受信されている。
【００９２】
ステップＳ２２では、ＩＣタグリーダ８０１によって受信した接続情報に基づいて、ＬＡＮ４００を介して撮像装置１００に対してログインする。ここでは、ＩＰアドレスに応じてアクセス先である撮像装置１００を特定して、アクセス許可要求情報（Ｕｓｅｒ ＩＤおよびパスワードといった認証情報を含む）を撮像装置１００に送信する。そして、ＤＴＶ２００が撮像装置１００の各種資源に対してアクセスが許可された状態となる。
【００９３】
ステップＳ２３では、撮像装置１００に対して撮影画像の送信を要求するコマンド（画像要求コマンド）をＬＡＮ４００を介して送信する。
【００９４】
ステップＳ２４では、撮像装置１００から撮影画像に係る画像データをＬＡＮ４００を介して受信したか否か判定する。ここでは、画像データを受信するまで、ステップＳ２４の判定を繰り返し、画像データを受信すればステップＳ２５に進む。
【００９５】
ステップＳ２５では、撮像装置１００から受信した画像データが暗号化されているか否かを判定する。ここでは、画像データが暗号化されている場合には、ステップＳ２６に進み、暗号化されていない場合には、ステップＳ２７に進む。
【００９６】
ステップＳ２６では、撮像装置１００から受信した画像データについて、暗号解除キーを用いて暗号化を解除する。このようにして、撮像装置１００と近接したＩＣタグリーダ８０１で暗号解除キーを得なければ撮影画像を再生できないように制限することができる。したがって、ＩＣタグ１２４に格納された暗号解除キーによって、撮像装置１００に近接した機器以外では撮影画像を再生することができないように出力が制御される。
【００９７】
ステップＳ２７では、視聴できる年齢の制限（視聴年齢制限）に該当するか否かを判定する。ここでは、ＤＴＶ２００において予め設定されている視聴年齢制限の年齢設定と、ＩＣタグ１２４から受信したタグ情報に含まれる再生許可情報（視聴年齢制限）とを比較することで、視聴年齢制限に該当するか否かを判定する。
【００９８】
具体的には、ＤＴＶ２００側の年齢設定が第１の年齢で、タグ情報に含まれる再生許可情報（視聴年齢制限）が第２の年齢である場合に、第１の年齢＜第２の年齢の関係にあるときには、視聴年齢制限に該当する。一方、第１の年齢≧第２の年齢の関係にあるときには、視聴年齢制限に該当しない。例えば、ＤＴＶ２００側の設定年齢が１６歳で、タグ情報に含まれる再生許可情報（視聴年齢制限）が１７歳であれば、視聴年齢制限に該当する。
【００９９】
そして、ステップＳ２７で、視聴年齢制限に該当するものと判定した場合には、図９のステップＳ４１に進み、視聴年齢制限に該当しないものと判定した場合には、ステップＳ２８に進む。
【０１００】
ステップＳ２８では、複製の制限（複製制限）があるか否か判定する。ここでは、ＩＣタグ１２４から受信したタグ情報に再生許可情報（複製可能回数）が含まれている場合には、複製制限があるものとして、ステップＳ２９に進み、タグ情報に再生許可情報（複製可能回数）が含まれていない場合には、複製制限がないものとして、ステップＳ３０に進む。
【０１０１】
なお、ここでは、複製可能回数は、ＤＴＶ２００に接続されたＤＶＤレコーダ２２０における撮影画像の複製可能な回数を示している。このような複製可能回数の制限は、複製の回数を制御部２０１によって管理して、ＤＴＶ２００とＤＶＤレコーダ２２０との間における撮影画像に係る画像データの送受信を制限することで、実現することができる。
【０１０２】
ステップＳ２９では、制御部２０１が、再生許可情報（複製可能回数）に応じて表示部２０４に複製可能回数を示す情報（複製可能回数情報）を可視的に出力するように制御する。ここでは、例えば、表示部２０４のうちの右下部に「２回まで複製可能」といった複製可能回数を示す文章が表示される。
【０１０３】
ステップＳ３０では、印刷枚数の制限（印刷枚数制限）があるか否か判定する。ここでは、ＩＣタグ１２４から受信したタグ情報に再生許可情報（印刷枚数）が含まれている場合には、印刷枚数制限があるものとして、ステップＳ３１に進み、タグ情報に再生許可情報（印刷枚数）が含まれていない場合には、印刷枚数制限がないものとして、ステップＳ３２に進む。
【０１０４】
ステップＳ３１では、制御部２０１が、再生許可情報（印刷枚数）に応じて表示部２０４に印刷枚数の上限を示す情報（印刷枚数制限情報）を可視的に出力するように制御する。ここでは、例えば、表示部２０４のうちの右下部に「３枚まで印刷可能」といった印刷枚数を示す文章が表示される。
【０１０５】
なお、ここでは、印刷枚数は、ＤＴＶ２００に接続されたビデオプリンタ２１０における撮影画像の印刷可能な枚数を示している。このような印刷可能枚数の制限は、印刷の枚数を制御部２０１によって管理して、ＤＴＶ２００とビデオプリンタ２１０との間における撮影画像に係る画像データの送受信を制限することで、実現することができる。
【０１０６】
ステップＳ３２では、撮像装置１００から受信した画像データに基づいて、表示部２０４において撮影画像を再生表示し、図９のステップＳ４１に進む。ここでは、ステップＳ２９やステップＳ３１において複製可能回数情報や印刷枚数制限情報が可視的に出力されている場合には、撮影画像に対して、複製可能回数および印刷枚数が重畳された状態で可視的に出力される。
【０１０７】
ステップＳ４１では、制御部２０１が、リモコン２３０から右を指定するコマンド（Rightコマンド）を受信したか否か判定する。ここでは、ユーザーがリモコン２３０を適宜操作することで、リモコン２３０からRightコマンドを受信すれば、ステップＳ４２に進み、Rightコマンドを受信しなければ、ステップＳ４３に進む。
【０１０８】
ステップＳ４２では、制御部２０１が、撮像装置１００に対して次のコマ（次コマ）の画像を要求する画像要求コマンドをＬＡＮ４００を介して送信する。具体的には、次コマの表示を要求するコマンド（Next Pictureコマンド）と画像要求コマンドとを送信する。なお、リモコン２３０からのRightコマンドとNext Pictureコマンドとを対応させるためには、RightコマンドとNext Pictureコマンドとを対応させる情報をＩＣタグ１２４のタグ情報に盛り込むようにすれば良い。
【０１０９】
ステップＳ４３では、リモコン２３０から左を指定するコマンド（Leftコマンド）を受信したか否か判定する。ここでは、ユーザーがリモコン２３０を適宜操作することで、リモコン２３０からLeftコマンドを受信したか否かを判定する。ここでは、リモコン２３０からLeftコマンドを受信すれば、ステップＳ４４に進み、Leftコマンドを受信しなければ、ステップＳ４５に進む。
【０１１０】
ステップＳ４４では、制御部２０１が、撮像装置１００に対して前のコマ（前コマ）の画像を要求する画像要求コマンドをＬＡＮ４００を介して送信し、ステップＳ２４に戻る。具体的には、前コマの表示を要求するコマンド（Prev Pictureコマンド）と画像要求コマンドとを送信する。なお、リモコン２３０からのLeftコマンドとPrev Pictureコマンドとを対応させるためには、LeftコマンドとPrev Pictureコマンドとを対応させる情報をＩＣタグ１２４のタグ情報に盛り込むようにすれば良い。
【０１１１】
ステップＳ４５では、リモコン２３０から撮影画像の再生を終了するコマンド（終了コマンド）を受信したか否か判定する。ここでは、ユーザーがリモコン２３０を適宜操作することで、リモコン２３０から終了コマンドを受信すれば、ステップＳ４６に進み、終了コマンドを受信しなければ、ステップＳ４１に戻る。つまり、ユーザーによるリモコン２３０の操作に応じて、終了コマンドを受信しない限り、表示部２０４において、現在表示中の撮影画像の表示を保持するか、次コマに係る撮影画像、または前コマに係る撮影画像を適宜切り替えながら表示する。
【０１１２】
ステップＳ４６では、撮像装置１００に対してアクセス可能な状態を解除するログアウトの動作を行い、本動作フローを終了する。
【０１１３】
図１０は、ＤＴＶ２００において撮影画像を再生する際における撮像装置１００とＤＴＶ２００との間におけるデータ交信を簡単に示す図である。
【０１１４】
図１０に示すように、ＤＴＶ２００が、撮像装置１００からタグ情報を取得すると、当該タグ情報を用いて撮像装置１００に対してログインするとともに、撮像装置１００に対してGet Current PictureコマンドをＬＡＮ４００を介して送信する。これに対して、撮像装置１００からＤＴＶ２００に対して撮影画像に係る画像データをＬＡＮ４００を介して送信する。このようなデータ交信によって、撮像装置１００で取得された撮影画像を、撮像装置１００に近接したＤＴＶ２００で表示させることができる。
【０１１５】
＜プリンタにおける画像再生＞
プリンター３００における撮影画像の再生は、撮像装置１００からプリンター３００に対して撮影画像に係る画像データがＬＡＮ４００を介して送信されることで実現される。したがって、プリンター３００における撮影画像の再生は、撮像装置１００における動作とプリンター３００における動作とが相互に連携し合うことで実現される。
【０１１６】
図１１は、プリンター３００において撮影画像を再生する際の撮像装置１００における動作フローを示すフローチャートである。図１２および図１３は、プリンター３００において撮影画像を再生する際のプリンター３００における動作フローを示すフローチャートである。
【０１１７】
図１１に示す動作フローは、撮像装置１００内のマイクロコンピュータ１０６の制御下で実行され、図１２および図１３に示す動作フローは、プリンター３００内の制御部３０１の制御下で実行される。そして、図１１に示す撮像装置１００の動作フローと、図１２および図１３に示すプリンター３００の動作フローとが、並行して行われることで、プリンター３００における撮影画像の再生が実現される。
【０１１８】
撮像装置１００およびプリンター３００における動作フローは、並行して行われるが、説明が複雑になるのを防ぐため、撮像装置１００側とプリンター３００側の動作フローを分けて説明する。
【０１１９】
まず、図１１のフローチャートを参照しつつ、撮像装置１００側の動作フローについて説明する。ここでは、ユーザーがマニュアルで、撮像装置１００を、Networkカード１２８によってＬＡＮ４００に対して物理的に接続すると、図１１の動作フローが開始される。
【０１２０】
ステップＳ５１では、撮像装置１００がＰＬＡＹモードに設定されているか否かを判定する。ここでは、ＰＬＡＹモードに設定されるまでステップＳ５１の判定を繰り返し、ＰＬＡＹモードに設定されると、ステップＳ５２に進む。
【０１２１】
ステップＳ５２では、メモリカード１２７に格納される撮影画像に係る画像データを背面ＬＣＤ１２６において可視的に出力する。ここでは、メモリカード１２７に格納される撮影画像のうち、最も直近に記憶された撮影画像が表示される。
【０１２２】
ステップＳ５３では、プリンター３００からアクセス許可要求情報（Ｕｓｅｒ ＩＤおよびパスワードといった認証情報を含む）を受信したか否かを判定する。ここでは、アクセス許可要求情報を受信するまでステップＳ５３の判定を繰り返し、アクセス許可要求情報を受信すると、ステップＳ５４に進む。
【０１２３】
ステップＳ５４では、ステップＳ５３において受信した認証情報に基づいて、撮像装置１００を、プリンター３００からのアクセスが許可された状態に設定する。
【０１２４】
ステップＳ５５では、プリンター３００から現在表示中の撮影画像に係る画像データの送信を要求するコマンド（「画像要求コマンド」および「Get Current Pictureコマンド」とも称する）をＬＡＮ４００を介して受信したか否かを判定する。ここでは、画像要求コマンドを受信するまでステップＳ５５の判定を繰り返し、画像要求コマンドを受信するとステップＳ５６に進む。
【０１２５】
ステップＳ５６では、プリンター３００に対して、現在背面ＬＣＤ１２６に表示中の撮影画像に係る画像データをＬＡＮ４００を介して送信する。
【０１２６】
ステップＳ５７では、プリンター３００から次のコマに係る画像要求コマンドをＬＡＮ４００を介して受信したか否か判定する。ここでは、プリンター３００から次のコマの表示を要求するコマンド（Next Pictureコマンド）と画像要求コマンドとを受信すれば、次のコマに係る画像要求コマンドを受信したものとして、ステップＳ５８に進み、受信しなければステップＳ６０に進む。
【０１２７】
ステップＳ５８では、メモリカード１２７に格納される撮影画像のうち、現在背面ＬＣＤ１２６に表示中の撮影画像の次のコマに係る撮影画像を背面ＬＣＤ１２６に表示する。
【０１２８】
ステップＳ５９では、プリンター３００に対して、現在背面ＬＣＤ１２６に表示中の撮影画像に係る画像データをＬＡＮ４００を介して送信する。
【０１２９】
ステップＳ６０では、プリンター３００から前のコマに係る画像要求コマンドをＬＡＮ４００を介して受信したか否か判定する。ここでは、プリンター３００から前のコマの表示を要求するコマンド（Prev Pictureコマンド）と画像要求コマンドとを受信すれば、前のコマに係る画像要求コマンドを受信したものとして、ステップＳ６１に進み、受信しなければステップＳ５７に戻る。
【０１３０】
ステップＳ６１では、メモリカード１２７に格納される撮影画像のうち、現在背面ＬＣＤ１２６に表示中の撮影画像の前のコマに係る撮影画像を背面ＬＣＤ１２６に表示する。
【０１３１】
ステップＳ６２では、プリンター３００に対して、現在背面ＬＣＤ１２６に表示中の撮影画像に係る画像データをＬＡＮ４００を介して送信する。
【０１３２】
なお、ユーザーがマニュアルで、撮像装置１００からNetworkカード１２８を脱着することで、図１１の動作フローを強制的に終了させることができる。
【０１３３】
次に、図１２および図１３のフローチャートを参照しつつ、プリンター３００側の動作フローについて説明する。ここでは、ユーザーが、操作部３０２を適宜操作すると、プリンター３００が撮影画像印刷モードに設定され、図１２の動作フローが開始される。
【０１３４】
図１２のステップＳ７１で、ＩＣタグ１２４よりタグ情報を受信したか否かを判定する。ここでは、ＩＣタグリーダ８０２によってタグ情報が受信されるまでステップＳ７１の判定を繰り返し、タグ情報が受信されるとステップＳ７２に進む。ここでは、ＩＣタグリーダ８０２とＩＣタグ１２４とが近接していれば、ＩＣタグリーダ８０２がＩＣタグ１２４に格納されるタグ情報を受信することができる。
【０１３５】
ステップＳ７１からステップＳ７２に進む際には、Ｕｓｅｒ ＩＤ、パスワード、およびＩＰアドレスといった接続情報の他に、暗号解除キー、再生許可情報（視聴年齢制限）、再生許可情報（複製可能回数）、および再生許可情報（印刷枚数）といった各種情報がＩＣタグリーダ８０２によって受信されている。
【０１３６】
ステップＳ７２では、ＩＣタグリーダ８０２によって受信した接続情報に基づいて、ＬＡＮ４００を介して撮像装置１００に対してログインする。ここでは、ＩＰアドレスに応じてアクセス先である撮像装置１００を特定して、アクセス許可要求情報（Ｕｓｅｒ ＩＤおよびパスワードといった認証情報を含む）を撮像装置１００に送信する。そして、プリンター３００が撮像装置１００の各種資源に対してアクセスが許可された状態となる。
【０１３７】
ステップＳ７３では、撮像装置１００に対して撮影画像の送信を要求するコマンド（画像要求コマンド）をＬＡＮ４００を介して送信する。
【０１３８】
ステップＳ７４では、撮像装置１００から撮影画像に係る画像データをＬＡＮ４００を介して受信したか否か判定する。ここでは、画像データを受信するまで、ステップＳ７４の判定を繰り返し、画像データを受信すればステップＳ７５に進む。
【０１３９】
ステップＳ７５では、撮像装置１００から受信した画像データが暗号化されているか否かを判定する。ここでは、画像データが暗号化されている場合には、ステップＳ７６に進み、暗号化されていない場合には、ステップＳ７７に進む。
【０１４０】
ステップＳ７６では、撮像装置１００から受信した画像データについて、暗号解除キーを用いて暗号化を解除する。このように、ここでは、撮像装置１００と近接したＩＣタグリーダ８０２で暗号解除キーを得なければ撮影画像を再生できないように制限することができる。
【０１４１】
ステップＳ７７では、印刷枚数の制限（印刷枚数制限）があるか否か判定する。ここでは、ＩＣタグ１２４から受信したタグ情報に再生許可情報（印刷枚数）が含まれている場合には、印刷枚数制限があるものとして、ステップＳ７８に進み、タグ情報に再生許可情報（印刷枚数）が含まれていない場合には、印刷枚数制限がないものとして、ステップＳ７９に進む。
【０１４２】
ステップＳ７８では、ＩＣタグ１２４から受信した再生許可情報（印刷枚数）に応じて印刷枚数の上限を設定する。
【０１４３】
ステップＳ７９では、印刷を中止するか否か判定する。ここでは、ユーザーによって操作部３０２の印刷を中止するためのボタン（印刷中止ボタン）が押下されると、印刷を中止するものと判定して、図１３のステップＳ９１に進む。一方、ユーザーによって操作部３０２の印刷中止ボタンが押下されないと、印刷を中止しないものと判定して、ステップＳ８０に進む。
【０１４４】
ステップＳ８０では、印刷枚数の入力を受け付ける。ここでは、ユーザーが操作部３０２を適宜操作することで、ステップＳ７８で設定された印刷枚数の上限を超えない範囲で印刷枚数を入力することができる。なお、後述するようにステップＳ８１からステップＳ７９に戻る場合には、ステップＳ８０の処理が２回目以降となる。ステップＳ８０の処理が２回目以降の場合には、既に１度だけ印刷枚数が入力されているため、所定期間、新たな印刷枚数が入力されなければステップＳ８１に進む。
【０１４５】
ステップＳ８１では、操作部３０２の印刷ボタンが押し下げられたか否か判定する。印刷ボタンが押し下げられれば、ステップＳ８２に進み、印刷ボタンが押し下げられなければ、ステップＳ７９に戻る。
【０１４６】
ここでは、ユーザーは、撮像装置１００の背面ＬＣＤ１２６に表示された撮影画像を視認しつつ、印刷枚数の決定や、印刷ボタンの押下等を行う。なお、プリンター３００のオペレーションパネルに撮影画像を小さく表示して、その撮影画像を視認しつつ、印刷枚数の決定や、印刷ボタンの押下等を行うようにしても良い。
【０１４７】
ステップＳ８２では、撮像装置１００から受信した画像データに基づいて、印刷部３０４において撮影画像を印刷する。このようにして、現在撮像装置１００の背面ＬＣＤ１２６に表示されている撮影画像を、印刷部３０４から出力される印刷用紙上において再生することができる。
【０１４８】
ステップＳ９１では、制御部３０１が、操作部３０２から右を指定するコマンド（Rightコマンド）を受信したか否か判定する。ここでは、ユーザーが操作部３０２を適宜操作することで、操作部３０２からRightコマンドを受信すれば、ステップＳ９２に進み、Rightコマンドを受信しなければ、ステップＳ９３に進む。
【０１４９】
ステップＳ９２では、制御部３０１が、撮像装置１００に対して次のコマ（次コマ）の画像を要求する画像要求コマンドをＬＡＮ４００を介して送信する。具体的には、次コマの表示を要求するコマンド（Next Pictureコマンド）と画像要求コマンドとを送信する。なお、操作部３０２からのRightコマンドとNext Pictureコマンドとを対応させるためには、RightコマンドとNext Pictureコマンドとを対応させる情報をＩＣタグ１２４のタグ情報に盛り込むようにすれば良い。
【０１５０】
ステップＳ９３では、操作部３０２から左を指定するコマンド（Leftコマンド）を受信したか否か判定する。ここでは、ユーザーが操作部３０２を適宜操作することで、操作部３０２からLeftコマンドを受信したか否かを判定する。ここでは、操作部３０２からLeftコマンドを受信すれば、ステップＳ９４に進み、Leftコマンドを受信しなければ、ステップＳ９５に進む。
【０１５１】
ステップＳ９４では、制御部３０１が、撮像装置１００に対して前のコマ（前コマ）の画像を要求する画像要求コマンドをＬＡＮ４００を介して送信し、ステップＳ７４に戻る。具体的には、前コマの表示を要求するコマンド（Prev Pictureコマンド）と画像要求コマンドとを送信する。なお、操作部３０２からのLeftコマンドとPrev Pictureコマンドとを対応させるためには、LeftコマンドとPrev Pictureコマンドとを対応させる情報をＩＣタグ１２４のタグ情報に盛り込むようにすれば良い。
【０１５２】
ステップＳ９５では、操作部３０２から撮影画像の再生を終了するコマンド（終了コマンド）を受信したか否か判定する。ここでは、ユーザーが操作部３０２を適宜操作することで、操作部３０２から終了コマンドを受信すれば、ステップＳ９６に進み、終了コマンドを受信しなければ、ステップＳ９１に戻る。
【０１５３】
このようにして、ユーザーによる操作部３０２の操作に応じて、終了コマンドを受信しない限り、撮像装置１００において現在表示中の撮影画像を印刷するか、次コマに係る撮影画像、または前コマに係る撮影画像を適宜切り替えながら印刷することができる。
【０１５４】
ステップＳ９６では、撮像装置１００に対してアクセス可能な状態を解除するログアウトの動作を行い、本動作フローを終了する。
【０１５５】
以上のように、本発明の実施形態に係るデータ交信システム１では、撮像装置１００にＩＣタグ１２４が付されている。このＩＣタグ１２４には、ネットワークを介して撮像装置１００にアクセスするための接続情報がタグ情報として記憶されている。この状態で、再生装置（ここでは、ＤＴＶ２００またはプリンター３００）が、ＩＣタグ１２４から受信した接続情報に基づいて撮像装置１００に対してログインして、画像要求コマンドを撮像装置１００に対して送信する。そして、撮像装置１００が画像要求コマンドに応答して背面ＬＣＤ１２６に表示中の撮影画像に係る画像データを再生装置に送信することで、再生装置が、撮像装置１００から画像データを取得して可視的に出力する。
【０１５６】
このような構成により、撮像装置１００を再生装置に近づけるだけで、撮像装置１００で取得された撮影画像を再生装置で簡単に再生することができる。また、撮像装置１００に対して物理的に近接した再生装置のみにおいて撮影画像を再生させることができる。例えば、家庭外等の遠距離からの家庭内に置かれた撮像装置に対するネットワークを介した接続を防御することができる。
【０１５７】
更に、従来では、撮像装置から撮影画像に係る画像データを格納する記憶媒体を抜いて、パソコンや所定のテレビに持ち込まなければ、撮影画像を再生することができなかったが、データ交信システム１では、単に撮像装置と再生装置とを近接させるだけで、Ｕｓｅｒ ＩＤやパスワード等の面倒な入力操作も行うことなく、再生装置において容易に撮影画像を再生させることができる。したがって、セキュリティを確保しつつ、撮像装置と再生装置とをネットワークを介して容易に接続することができる。
【０１５８】
また、ＩＣタグ１２４に記憶されている接続情報が、撮像装置１００にアクセスするための認証情報を含む。よって、撮像装置１００にアクセスすることのできる再生装置を、撮像装置１００を近接させて接続情報を取得した再生装置に確実に限定することができる。より具体的には、ＩＣタグ１２４に記憶されている認証情報が、ユーザーＩＤおよびパスワードを含むため、撮像装置１００にアクセスすることのできる再生装置を容易に限定することができる。
【０１５９】
また、ＤＴＶ２００またはプリンター３００等といった再生装置が、ＩＣタグリーダ８０１，８０２によってＩＣタグ１２４に記憶された暗号解除キー、再生許可情報（視聴年齢制限）、再生許可情報（複製可能回数）、および再生許可情報（印刷枚数）といった撮影画像の再生に関する情報（画像再生情報）を受信する。そして、再生装置が、当該画像再生情報に基づいて撮影画像に係る画像データの出力を制御する。このような構成とすることで、容易に画像の出力を制御することができる。
【０１６０】
また、画像再生情報が、暗号解除キーおよび再生許可情報（視聴年齢制限）等といった、再生装置等において撮影画像を再生する際に当該撮影画像の出力を制限するための情報を含む。このような構成とすることで、画像の再生を容易に制限することができる。
【０１６１】
＜変形例＞
以上、この発明の実施形態について説明したが、この発明は上記説明した内容のものに限定されるものではない。
【０１６２】
◎例えば、上述した実施形態では、撮影画像を再生する再生装置として、ＤＴＶ２００とプリンター３００とを例示して説明したが、これに限られず、再生装置としては、パーソナルコンピュータ（パソコン）やプロジェクター等、撮影画像を可視的に再生するようなものであればどのような装置であっても良い。
【０１６３】
◎また、上述した実施形態では、アクセス許可要求情報には、Ｕｓｅｒ ＩＤ、およびパスワードが含まれたが、これに限られず、例えば、Ｕｓｅｒ ＩＤ、およびパスワードのうちの少なくとも一方が含まれれば、上述した実施形態と同様な効果を得ることができる。つまり、撮像装置１００にアクセスすることのできる再生装置を、撮像装置１００に近接させて接続情報を取得した再生装置に容易に限定することができる。
【０１６４】
◎なお、本明細書中における「無線ＩＣタグ」には、無線で情報の送受信を行うＩＣチップ等を含むのは勿論である。また、撮像装置１００から無線で接続情報等の各種情報を発信するデバイスは、無線ＩＣタグだけでなく、データの到達距離が短い他の無線デバイス（赤外線インターフェース、Blue Tooth等）でも良い。
【０１６５】
また、ＩＣタグ１２４として、外部のＩＣタグライターにより記憶する情報を追記可能なＩＣタグや、記憶された情報を書き換え可能なＩＣタグを採用するようにしても良い。
【０１６６】
◎また、本明細書中における「ネットワーク」は、データ等を伝送する通信網のことを示している。
【図面の簡単な説明】
【０１６７】
【図１】本発明の実施形態に係る撮像装置の機能構成を例示するブロック図である。
【図２】無線ＩＣタグの概要を例示する図である。
【図３】無線ＩＣタグに格納されるタグ情報を例示する図である。
【図４】無線ＩＣタグとＩＣタグリーダとの間における信号の送受信について説明する図である。
【図５】本発明の実施形態に係るデータ交信システムの概要を例示する図である。
【図６】データ交信システムの機能構成を例示するブロック図である。
【図７】ＤＴＶにおいて撮影画像を再生する際の撮像装置における動作フローを示すフローチャートである。
【図８】ＤＴＶにおいて撮影画像を再生する際のＤＴＶにおける動作フローを示すフローチャートである。
【図９】ＤＴＶにおいて撮影画像を再生する際のＤＴＶにおける動作フローを示すフローチャートである。
【図１０】撮像装置とＤＴＶとの間におけるデータ交信を示す図である。
【図１１】プリンタにおいて撮影画像を再生する際の撮像装置における動作フローを示すフローチャートである。
【図１２】プリンタにおいて撮影画像を再生する際のプリンタにおける動作フローを示すフローチャートである。
【図１３】プリンタにおいて撮影画像を再生する際のプリンタにおける動作フローを示すフローチャートである。
【符号の説明】
【０１６８】
１  データ交信システム
１００  撮像装置
１０６  マイクロコンピュータ
１０９  操作部
１２４  無線ＩＣタグ（ＩＣタグ）
１２８  ネットワークカード
２００  デジタルテレビ（ＤＴＶ）
２０１  制御部
２０４  表示部
２０５，３０５  インターフェース（Ｉ／Ｆ）
３００  プリンター
３０１  制御部
３０４  印刷部
８０１  ＩＣタグリーダ
８０２  ＩＣタグリーダ
【図１】
2006217220.tif 000003
【図２】
2006217220.tif 000004
【図３】
2006217220.tif 000005
【図４】
2006217220.tif 000006
【図５】
2006217220.tif 000007
【図６】
2006217220.tif 000008
【図７】
2006217220.tif 000009
【図８】
2006217220.tif 000010
【図９】
2006217220.tif 000011
【図１０】
2006217220.tif 000012
【図１１】
2006217220.tif 000013
【図１２】
2006217220.tif 000014
【図１３】
2006217220.tif 000015